【事件の表示】
　特願２００８−３２９０６１「超音波診断装置及び超音波映像ディスプレイ方法」拒絶査定不服審判事件〔平成２１年　７月１６日出願公開、特開２００９−１５３９７９〕について、次のとおり審決する。
【結　論】
　本件審判の請求は、成り立たない。
【理　由】
第１　手続の経緯
　本願は、平成２０年１２月２５日（パリ条約による優先権主張　２００７年１２月２７日韓国（ＫＲ））を出願日とする特願２００８−３２９０６１号であって、平成２５年８月２３日付けで拒絶理由が通知され、同年１１月２７日付けで意見書が提出されるとともに、同日付けで手続補正がなされ、平成２６年１月１７日付けで拒絶査定がなされ、これに対して同年５月２１日に拒絶査定不服審判の請求がなされ、同時に手続補正がなされたものである。
　
第２　平成２６年５月２１日付けの手続補正についての補正の却下の決定
［補正の却下の決定の結論］
　平成２６年５月２１日付けの手続補正（以下、「本件補正」という。）を却下する。
[理由] 
１　本件補正について
　本件補正は、補正前の特許請求の範囲の請求項１の記載を、以下のとおり、補正前のものから補正後のものに補正する事項を含むものである。（下線は、補正箇所を示す。）
（補正前）
　「対象体から反射された超音波エコー信号に基づいて信号処理を通じて複数の連続的なフレームを構成するデータを格納する格納部と、
　前記格納されたデータに基づいて前記複数のフレームのプレビュー映像を形成するように作動し、前記プレビュー映像を前記格納部に格納する映像処理部と、
　前記複数のプレビュー映像の中から、いずれか一つのプレビュー映像を選択するための選択命令の入力を受けるためのユーザ入力部とを備え、
　前記映像処理部は、前記選択されたプレビュー映像に対応するフレームを読み出すようにさらに作動し、
　前記映像処理部は、前記連続的なフレームの中で前記複数のフレームにマークを設定し、前記マークが設定されたフレームに該当するプレビュー映像のみを形成することを特徴とする超音波診断装置。」
（補正後）
　「対象体から反射された超音波エコー信号に基づいて信号処理を通じて複数の連続的なフレームを構成するデータを格納する格納部と、
　
前記連続的なフレームの中で複数のフレームにマークを設定し、前記マークが設定されたフレームに該当するプレビュー映像のみを形成する
　
画面の所定位置に前記プレビュー映像をディスプレイするディスプレイ部と、
　
前記連続的なフレームの中で再生しようとするフレームにブックマークを設定するためのブックマーク設定
　
前記格納部は、前記ブックマーク設定命令に応答してブックマークが設定されたフレームの情報及びブックマーク設定情報を格納し、
　
前記ブックマーク設定情報は前記プレビュー映像に表示され、
　前記映像処理部は、
ユーザが、ブックマークが表示されたプレビュー映像の中から一つの映像を選択すれば、ブックマークと共に格納されたフレーム情報に基づき、選択されたプレビュー映像に対応するフレームデータを順次判読し、判読されたフレームデータを映像処理してシネフレーム映像を形成し、
　
前記ディスプレイ部は、前記シネフレーム映像をディスプレイする
２　本件補正の目的についての検討
（１）補正後の「前記ブックマーク設定情報は前記プレビュー映像に表示され、」という事項の付加は、補正前の特定事項を限定しているとはいえないため、いわゆる限定的減縮を目的とするものであるとはいえない。
　また、当該補正事項が、請求項の削除、誤記の訂正又は明りょうでない記載の釈明のいずれにも該当しないことは明らかである。
（２）補正前は、ディスプレイ部に関し何ら特定していなかったが、補正後は、「画面の所定位置に前記プレビュー映像をディスプレイするディスプレイ部」と、「前記ディスプレイ部は、前記シネフレーム映像をディスプレイすること」というディスプレイ部に関する事項を付加した。してみると、当該補正事項は、いわゆる限定的減縮を目的とするものであるとはいえない。
　また、当該補正事項が、請求項の削除、誤記の訂正又は明りょうでない記載の釈明のいずれにも該当しないことは明らかである。
（３）補正後の「映像処理部」は、補正前の「映像処理部」から、複数のフレームのプレビュー映像の形成を、「前記格納されたデータに基づいて」行うことが削除され、また、形成された「前記プレビュー映像を前記格納部に格納する」ことも削除されている。してみると、当該補正事項は、いわゆる限定的減縮を目的とするものであるとはいえない。
　また、当該補正事項が、請求項の削除、誤記の訂正又は明りょうでない記載の釈明のいずれにも該当しないことは明らかである。
　なお、本件補正により、特許請求の範囲の請求項１に係る発明は、平成２５年１１月２７日付けの手続補正により補正された特許請求の範囲の請求項４に記載のものに対応しているとみても、上記２の判断に何ら影響を与えるものではない。
３　むすび
　よって、上記の本件補正による請求項１の補正は、特許法第１７条の２第５項の規定に違反するので、同法第１５９条第１項において読み替えて準用する同法第５３条第１項の規定により却下すべきものである。
第３　本願発明について
１　本願発明
　本件補正は、上記のとおり却下されたので、本願の請求項１に係る発明（以下、「本願発明」という。）は、平成２５年１１月２７日付けの手続補正により補正された特許請求の範囲の請求項１に記載された事項により特定されるとおりのものである。（上記「第２」の「１　本件補正について」の記載参照。）
２　引用例
（１）原査定の拒絶の理由に引用され、本願の優先権主張日前に頒布された刊行物である特開２００４−５７３５６号公報（以下、「引用例１」という。）には、次の事項が記載されている。（下線は、当審において付与したものである。以下、同様。）
ア　「【００２１】
図１に示す
超音波画像診断装置
【００２２】
この装置の構成要素としては、図１に示すように、超音波信号と電気信号を相互に変換する複数の超音波振動子を有するプローブ（超音波探触子）１と、このプローブ１の各振動子を所定の送受信条件を元に駆動して
被検体に対し超音波信号
の反射波である超音波エコーを
受信させる送受信部２と
【００２３】
その他の構成要素としては、図１に示すように、送受信部２で受信された超音波エコーを元にＢモード像（断層像）やドプラ像（血流像）等の超音波画像を生成しそのライブ像及びサムネイル表示を担う本発明の各手段を構成する各部を備える。
【００２４】
この各部の例としては、
送受信部２で受信された超音波エコーに基づく画像データの形式をアナログ量からデジタル量に変換するＡ／Ｄ
３と、これで変換されたデジタル量の画像データの走査形式を超音波走査からテレビ走査に変換するＤＳＣ
４と、その画像データを元に超音波画像の表示像（ライブ像及びサムネイル）を生成する表示画像生成プロセッサ５と、これで生成されたライブ像及びサムネイルを記憶するイメージメモリ
６と、
９と、これら各要素１〜９の全体動作を制御するコントローラ
１０とが搭載される
イ　「【００２７】
ここで、
コントローラ５の制御による
【００２８】
まず、図２に示すように、表示開始に際し、サムネイル表示のための基本条件が設定される（ステップＳ１）。この設定は、例えば基準となる初期設定値（デフォルト値）に対し自動又は手動で変更可能となっている。手動の場合、例えば操作者の入力デバイス９の操作により設定される。その設定内容は、コントローラ５により実行可能に所定のテーブル等のメモリ（図示しない）に記憶される。
【００２９】
ここで設定される基本条件には、サムネイルの表示／非表示、サムネイルの表示時間間隔、心拍同期、ライブ中の画像選択、サムネイルの表示位置とその枚数、一定間隔で録画した画像／差分像（録画した画像同士の差分像）の表示、静止画／動画の表示などの条件が含まれる。図３は、このサムネイル表示のための基本条件の設定例を示す。図３に示す例では、その基本条件として、サムネイル表示のオン／オフ設定、更新条件（ＦＥＩ同期、時間、枚数、心電同期）の設定が、モニタ８上のサムネイル設定画面内の表示を見ながら操作者の入力デバイス９の操作により可能となっている。図３に示す設定画面上で、サムネイル表示がオンに設定されると、更新条件を元にサムネイル用の画像を設定可能となっている。
【００３０】
例えば、図３に示す更新条件の内、「ＦＥＩ同期」がオンに設定されると（図３中の例では設定）、造影剤を用いたフラッシュ・エコー・イメージングの実施時にその間歇的な走査タイミング毎に超音波画像がサムネイル用としてイメージメモリ６に取り込まれ、その画像が随時更新されていく。
【００３１】
また、図３に示す更新条件の内、「時間」がオンに設定されると（図３中の例では非設定）、
指定された時間間隔
のタイミングで超音波画像がサムネイル用としてイメージメモリ６に取り込まれ、
【００３２】
また、図３に示す更新条件の内、「枚数」がオンに設定されると（図３中の例では非設定）、指定された枚数（図中の例では５枚：この設定値は任意に変更可）毎に超音波画像がサムネイル用として、イメージメモリ６上に取り込まれ、その画像が随時更新されていく。
【００３３】
さらに、図３に示す更新条件の内、「心電同期」が設定されると（図３中の例では設定）、画像診断と同時に図示しない心電計により計測・入力される心電波形（ＥＣＧ波形）を元に、指定された心周期（図３中の例ではＲ波から０ｍｓ：この設定値は任意に変更可）のタイミングで超音波画像がサムネイル用としてイメージメモリ６に取り込まれ、その画像が随時更新されていく。
【００３４】
ここで、図２に戻り、上記サムネイルの基本条件の設定が終わると、コントローラ８により、設定された基本条件を元にサムネイル表示をするかどうかが判定される（ステップＳ２）。ここで、上記の基本条件の内、サムネイル表示がオフに設定されていると、コントローラ８により、ＮＯ（サムネイル表示をしない）と判定され、通常の表示、すなわち得られた超音波画像のライブ像のみがモニタ８上に表示される（ステップＳ３）。一方、上記の基本条件の内、サムネイル表示がオンに設定されていると、コントローラ８により、ＹＥＳ（サムネイル表示をする）と判定され、次の各ステップＳ４〜Ｓ１１に示すサムネイル表示の処理が実行される。
【００３５】
このサムネイル表示に際し、コントローラ８の制御及び表示画像生成プロセッサの処理により、得られた超音波エコーの受信信号を元に超音波画像が生成され、イメージメモリ６に記憶される（ステップＳ４）。次いで、上記の基本条件の内、更新条件を元に、サムネイルとして表示すべき画像を更新するかどうかを判定する（ステップＳ５）。例えば、上記の図３に示す更新条件の設定例では、心電同期が設定され、Ｒ波から０ｍｓが指定されているため、このタイミングになったときに、コントローラ８により、画像を更新すると判定され、それ以外では画像を更新しないと判定される。
【００３６】
そこで、上記ステップＳ５の処理にて、更新すると判定されると、そのタイミングでイメージメモリ６に取り込まれる画像のサムネイルが作成され、そのサムネイルがイメージメモリ６に記憶／更新され（ステップＳ６）、これにより、モニタ８上に表示される表示像（後述のライブ像及びサムネイル参照）の内、ライブ像の更新と共にサムネイルの更新も行なわれる（ステップＳ７）。一方、上記ステップＳ５の処理にて、更新しないと判定されると、モニタ８上の表示像の内、ライブ像のみが更新される（ステップＳ７）。このモニタ８上の表示像の一例を図４に示す。
【００３７】
図４において、モニタ８上の画面右側に超音波画像のライブ像が、またその画面左側に上記の基本条件を元に記憶・更新される超音波画像のサムネイルがそれぞれ表示される。図４中の例では、モニタ８上の画面上下方向に同時に表示される超音波画像のサムネイルは、例えば更新条件が５００ｍｓの間隔毎、表示枚数が３枚の基本条件の元に更新されるもので、スクロールバーの上下操作により上下方向にスクロール表示が可能となっている。
【００３８】
図４に示す例では、サムネイル表示すべき画像として一定間隔（５００ｍｓ毎）で録画した画像を例示している。すなわち、この例では、モニタ８上には、０ｍｓ（現在）の画像、５００ｍｓ前の画像、１０００ｍｓ前の画像、以下同様に５００ｍｓ毎の画像が時系列にサムネイル表示されることになる。その他、サムネイル表示される画像として一定間隔（５００ｍｓ毎）の差分像を設定した場合には、モニタ８上には、例えば現在（０ｍｓ）の画像と５００ｍｓ前の画像との差分像、５００ｍｓ前の画像と１０００ｍｓ前の画像との差分像、１０００ｍｓ前の画像と１５００ｍｓ前の画像との差分像、以下同様に５００ｍｓ毎の差分像が時系列にサムネイル表示される。
【００３９】
次いで、コントローラ８により、
モニタ８上に表示されるサムネイルの内、所望のサムネイル
選択は、操作者の入力デバイス９の操作
により行なわれる。
サムネイルが選択されると、コントローラ８により、
当該サムネイルに対応する超音波画像が表示される
【００４０】
次いで、コントローラ８により、上記と同様にサムネイルが選択された否かが判断され（ステップＳ１０）、ＹＥＳ（サムネイル選択有り）の場合は上記ステップＳ９の処理に戻って同様の処理が繰り返し実行される。一方、上記ステップ１０の処理でＮＯ（サムネイル選択無し）と判断されると、コントローラ８により、モニタ８上のサムネイル表示を終了するか否かが判断され（ステップＳ１１）、この判断でＹＥＳ（表示を終了する）の場合は表示終了、ＮＯ（表示を終了しない）の場合はステップＳ４の処理に戻り、上記と同様のサムネイル表示の処理が繰り返し実行される。
【００４１】
以上のように、モニタ８上に超音波画像のライブ像が表示されているときに、一定の時間間隔毎に画像が録画され、その画像がライブ像と同時にモニタ８上にサムネイルとして表示される。一定の時間間隔毎の画像は、イメージメモリの固定エリアなどにライブ像とは別に録画され、フリーズ後も参照可能となる。」
（２）引用例１に記載された発明の認定
　引用例１の記載事項を総合すると、引用例１には、
 「被検体に対し超音波信号の反射波である超音波エコーを受信させる送受信部と、送受信部で受信された超音波エコーに基づく画像データの形式をアナログ量からデジタル量に変換するＡ／Ｄと、これで変換されたデジタル量の画像データの走査形式を超音波走査からテレビ走査に変換するＤＳＣと、その画像データを元に超音波画像の表示像のライブ像及びサムネイルを生成する表示画像生成プロセッサと、これで生成されたライブ像及びサムネイルを記憶するイメージメモリと、これら各要素の全体動作を制御するコントローラとが搭載され、
　コントローラの制御により、指定された時間間隔のタイミングで超音波画像がサムネイル用としてイメージメモリに取り込まれ、
　モニタ上に表示されるサムネイルの内、所望のサムネイル選択は、操作者の入力デバイスの操作により行なわれ、サムネイルが選択されると、コントローラにより、当該サムネイルに対応する超音波画像が表示される、
超音波画像診断装置。」
の発明（以下、「引用発明」という。）が記載されている。　
（２）原査定の拒絶の理由に引用され、本願の優先権主張日前に頒布された刊行物である特開２００６−１４１５０８号公報（以下、「引用例２」という。）には、次の事項が記載されている。
ア　「【０００１】
  本発明は
超音波診断装置に関し
イ　「【００６２】
  次に、制御部３０が有する機能について詳述する。サムネイル画像生成部４４は、画像記憶部６０上に格納される画像情報ごとにその内容を表す参照画像としてサムネイル画像を生成する。サムネイル画像は基礎となる画像を低解像度の縮小画像に加工したものであり、本実施形態においては、
画像記憶部６０への画像情報の格納時にそれに対応するサムネイル画像が生成されている。もちろん、
サムネイル画像が必要となったタイミングでその生成を行うようにしてもよい
（３）原査定の拒絶の理由に引用され、本願の優先権主張日前に頒布された刊行物である特開２００５−１６８８０７号公報（以下、「引用例３」という。）には、次の事項が記載されている。
ア　「【０００１】
  本発明は、
超音波診断装置に関するもの
イ　「【００２８】
  
マーク付与部４１は、
画像生成部２０により生成される複数フレームの画像のうち、所定フレームの画像にマークを付与する
・・・
【００３０】
  そして、たとえば、
マーク付与部４１は、画像生成部２０が所定時間の間隔ごとに生成する所定フレームの画像に対してマークを付与する
３　本願発明と引用発明との対比
（１）　対比
　本願発明と引用発明とを対比する。
ア
（ア）引用発明の「被検体」、「超音波エコー」及び「イメージメモリ」が、本願発明の「対象体」、「超音波エコー信号」及び「格納部」に相当する。
（イ）引用発明の「受信された超音波エコーに基づく画像データの形式をアナログ量からデジタル量に変換」し、「変換されたデジタル量の画像データの走査形式を超音波走査からテレビ走査に変換する」処理が、本願発明の「信号処理」に相当する。
（ウ）引用発明の「超音波画像の表示像」の「ライブ像」は、複数の連続的な超音波画像を時系列順ごと並べたものであるから、本願発明の「複数の連続的なフレームを構成するデータ」に相当する。
（エ）したがって、上記（ア）〜（ウ）を踏まえると、引用発明の「被検体に対し超音波信号の反射波である超音波エコーを受信させ」、「受信された超音波エコーに基づく画像データの形式をアナログ量からデジタル量に変換」し、「変換されたデジタル量の画像データの走査形式を超音波走査からテレビ走査に変換」し、「その画像データを元に」「生成されたライブ像」「を記憶するイメージメモリ」が、本願発明の「対象体から反射された超音波エコー信号に基づいて信号処理を通じて複数の連続的なフレームを構成するデータを格納する格納部」に相当する。
イ
（ア）引用発明の「超音波画像の表示像」の「サムネイル」は、「モニタ上に表示されるサムネイルの内、所望のサムネイル選択は、操作者の入力デバイスの操作により行なわれ、サムネイルが選択されると、コントローラにより、当該サムネイルに対応する超音波画像が表示される」ものであるから、事前に複数のサムネイルに対応する超音波画像のイメージを確認するためのものといえるので、本願発明の「複数のフレームのプレビュー映像」に相当する。
（イ）引用発明の「コントローラ」は、「イメージメモリ」などの「各要素の全体動作を制御する」ものであるから、「イメージメモリ」に「サムネイルを記憶する」ように制御するためのものといえる。
（ウ）上記（イ）を踏まえると、引用発明の「表示画像生成プロセッサ」及び「コントローラ」が、本願発明の「映像処理部」に相当する。
（エ）したがって、上記（ア）〜（ウ）を踏まえると、引用発明の「超音波画像の表示像」の「サムネイル」「を生成する表示画像生成プロセッサ」及び「イメージメモリ」に「サムネイルを記憶する」ように制御する「コントローラ」と、本願発明の「前記格納されたデータに基づいて前記複数のフレームのプレビュー映像を形成するように作動し、前記プレビュー映像を前記格納部に格納する映像処理部」とは、「前記複数のフレームのプレビュー映像を形成するように作動し、前記プレビュー映像を前記格納部に格納する映像処理部」という点で共通する。
ウ
（ア）引用発明の「操作者」が「操作」する「入力デバイス」が、本願発明の「ユーザ入力部」に相当する。
（イ）したがって、上記（ア）を踏まえると、引用発明の「モニタ上に表示されるサムネイルの内、所望のサムネイル選択」を「行な」う「入力デバイス」が、本願発明の「前記複数のプレビュー映像の中から、いずれか一つのプレビュー映像を選択するための選択命令の入力を受けるためのユーザ入力部」に相当する。
エ
　上記イを踏まえると、引用発明の「コントローラ」は、「サムネイルが選択されると、」「当該サムネイルに対応する超音波画像が表示される」ように制御することは、本願発明の「前記映像処理部は、前記選択されたプレビュー映像に対応するフレームを読み出すようにさらに作動」することに相当する。
オ
（ア）引用発明の「コントローラ」は、「指定された時間間隔のタイミングで超音波画像がサムネイル用としてイメージメモリに取り込まれ」るように制御することは、指定された時間間隔のタイミングでの超音波画像をサムネイルに形成しているといえる。
（イ）上記イを踏まえると、引用発明の「コントローラ」は、「指定された時間間隔のタイミングで超音波画像がサムネイル用としてイメージメモリに取り込まれ」るように制御することと、本願発明の「前記映像処理部は、前記連続的なフレームの中で前記複数のフレームにマークを設定し、前記マークが設定されたフレームに該当するプレビュー映像のみを形成すること」とは、「前記映像処理部は、前記連続的なフレームの中で前記複数のフレームを設定し、前記設定されたフレームに該当するプレビュー映像のみを形成すること」という点で共通する。
カ
　引用発明の「超音波画像診断装置」が、本願発明の「超音波診断装置」に相当する。
（２）　一致点
　よって、本願発明と引用発明は、
　「対象体から反射された超音波エコー信号に基づいて信号処理を通じて複数の連続的なフレームを構成するデータを格納する格納部と、
　前記複数のフレームのプレビュー映像を形成するように作動し、前記プレビュー映像を前記格納部に格納する映像処理部と、
　前記複数のプレビュー映像の中から、いずれか一つのプレビュー映像を選択するための選択命令の入力を受けるためのユーザ入力部とを備え、
　前記映像処理部は、前記選択されたプレビュー映像に対応するフレームを読み出すようにさらに作動し、
　前記映像処理部は、前記連続的なフレームの中で前記複数のフレームを設定し、前記設定されたフレームに該当するプレビュー映像のみを形成する、超音波診断装置。」
の発明である点で一致し、次の点で相違する。
（３）　相違点
（相違点１）
　プレビュー映像を形成するように作動する映像処理部に関し、本願発明では、「前記格納されたデータに基づいて」プレビュー映像を形成するのに対し、引用発明では、そのような特定がない点。
（相違点２）
　連続的なフレームの中で複数のフレームを設定し、前記設定されたフレームに該当するプレビュー映像のみを形成する映像処理部に関し、本願発明は、複数のフレーム「にマーク」を設定し、前記「マークが」設定されたフレームに該当するプレビュー映像のみを形成するのに対し、引用発明は、そのような特定がない点。
４　当審の判断
　上記の相違点について検討する。
（１）　相違点１について
　超音波診断装置において、複数の連続的なフレームを構成するデータの格納時にそれに対応するプレビュー映像を形成することも、また、プレビュー映像が必要となったタイミングで形成することも、例えば、引用例２（上記摘記箇所参照）などに記載されているように当該分野において本願の優先権主張日前より知られていることであるから、引用発明において、複数の連続的なフレームを構成するデータの格納時にそれに対応するプレビュー映像を形成することに替えて、プレビュー映像が必要となったタイミングで「前記格納されたデータに基づいて」プレビュー映像を形成し、上記相違点１に係る本願発明の発明特定事項のように構成することは、当業者が容易になし得ることである。
（２）　相違点２について
　超音波診断装置において、複数の連続的なフレームの中の指定された時間間隔のタイミングで、所定のフレームにマークを設定することは、例えば、引用例３（上記摘記箇所参照）などに記載されているように当該分野において本願の優先権主張日前より知られていることであるから、引用発明において、連続的なフレームの中の指定された時間間隔のタイミングで、複数のフレームを設定し、前記設定されたフレームに該当するプレビュー映像のみを形成する際に、複数のフレーム「にマーク」を設定し、前記「マークが」設定されたフレームに該当するプレビュー映像のみを形成し、上記相違点２に係る本願発明の発明特定事項のように構成することは、当業者が容易になし得ることである。
（３）　本願発明の奏する作用効果
　そして、本願発明によってもたらされる作用効果は、上記引用例１、上記引用例２及び３に記載されている事項から当業者が予測し得る程度のものである。
（４）　まとめ
　以上のとおり、本願発明は、引用発明、上記引用例２及び３に記載されている事項に基いて当業者が容易に発明をすることができたものであるから、特許法第２９条第２項の規定により特許を受けることができない。
　
５　むすび
　以上のとおり、本願発明は、特許法第２９条第２項の規定により特許を受けることができない。
　したがって、その余の請求項に係る発明について論及するまでもなく、本願は拒絶すべきものである。
　よって、結論のとおり審決する。